【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
機器内部のクロック信号を生成するクロック信号生成手段と、
前記クロック信号生成手段が生成したクロック信号をカウントすることにより時刻データを生成する内部時刻データ生成手段と、
２つのタイミングを指示するタイミング指示手段と、
外部時刻に基づいて、前記２つのタイミング間を外部時間として記憶する外部時間記憶手段と、
前記内部時刻に基づいて、前記２つのタイミング間を内部時間として記憶する内部時間記憶手段と、
前記外部時間記憶手段内の外部時間と前記内部時間記憶手段内の内部時間が一致するように、前記クロック信号生成手段のクロック周波数を修正するクロック修正手段と、を具備する
ことを特徴とする携帯型電子機器。
【請求項２】
請求項１記載の携帯型電子機器において、
前記２つのタイミングにおいて得られる外部時刻を２つの外部時刻データとして記憶する外部時刻記憶手段を備え、
前記外部時間記憶手段内の外部時間は、前記外部時刻記憶手段内の２つの外部時刻の差である
ことを特徴とする携帯型電子機器。
【請求項３】
請求項１記載の携帯型電子機器において、
前記２つのタイミングにおいて得られる内部時刻を２つの内部時刻データとして記憶する内部時刻記憶手段を備え、
前記内部時間記憶手段内の内部時間は、前記内部時刻記憶手段内の２つの内部時刻の差である
ことを特徴とする携帯型電子機器。
【請求項４】
請求項１記載の携帯型電子機器において、
外部時計の外部時刻を取得する外部時刻取得手段を具備する
ことを特徴とする携帯型電子機器。
【請求項５】
請求項１記載の携帯型電子機器において、
前記タイミング指示手段は、外部時計から供給される信号によって前記２つのタイミングを指示する
ことを特徴とする携帯型電子機器。
【請求項６】
請求項２記載の携帯型電子機器において、
前記外部時刻記憶手段は、予め設定された２つの時刻を外部時刻として記憶し、
前記タイミング指示手段は、前記２つの時刻において操作者の操作に従って前記２つのタイミングを指示する
ことを特徴とする携帯型電子機器。
【請求項７】
請求項３記載の携帯型電子機器において、
前記内部時刻記憶手段は、予め設定された２つの時刻を内部時刻として記憶し、
前記タイミング指示手段は、前記２つの時刻において操作者の操作に従って前記２つのタイミングを指示する
ことを特徴とする携帯型電子機器。
【請求項８】
請求項６または７記載の携帯型電子機器において、
前記外部時刻記憶手段または前記内部時刻記憶手段に記憶された２つの時刻を操作者の操作に応じて変化させる時刻調整手段をさらに具備する
ことを特徴とする携帯型電子機器。
【請求項９】
請求項４記載の携帯型電子機器において、
前記外部時刻取得手段は、外部時計から送信される時刻信号を受信する機器側受信部と、受信した前記時刻信号から外部時刻を抽出する外部時刻抽出部と、を備える
ことを特徴とする携帯型電子機器。
【請求項１０】
請求項９記載の携帯型電子機器において、
前記２つのタイミングに時間幅を持たせた範囲で、前記機器側受信部を受信可能状態にさせる前記受信制御手段を設ける
ことを特徴とする携帯型電子機器。
【請求項１１】
請求項１〜１０のいずれかに記載の携帯型電子機器において、
前記クロック信号生成手段は、発振源から発生する発振信号を分周する多段の分周回路からなる分周回路群と、前記各分周回路の状態を操作する論理緩急回路と、を備える
ことを特徴とする携帯型電子機器。
【請求項１２】
請求項１〜１０のうちいずれかに記載の携帯型電子機器において、
前記内部時刻データ生成手段で生成された時刻データに対応した内部時刻が指針により表示されるアナログ時計ユニットを備える
ことを特徴とする携帯型電子機器。
【請求項１３】
請求項１〜１０のうちいずれかに記載の携帯型電子機器において、
前記内部時刻データ生成手段で生成された内部時刻データに対応した内部時刻がデジタル表示されるデジタル時計ユニットを備える
ことを特徴とする携帯型電子機器。
【請求項１４】
請求項９記載の携帯型電子機器において、
前記内部時刻データ生成手段で生成された内部時刻データに対応した内部時刻が、駆動用コイルによって駆動される指針により表示されるアナログ時計ユニットを備え、
前記機器側受信部を前記駆動コイルで兼用する
ことを特徴とする携帯型電子機器。
【請求項１５】
請求項２記載の携帯型電子機器において、
前記外部時刻記憶手段に記憶される外部時刻データを前記内部時刻データ生成手段に用いて修正する内部時刻データ修正手段を備える
ことを特徴とする携帯型電子機器。
【請求項１６】
基準クロック信号を生成する基準クロック信号生成手段と、
前記基準クロック信号生成手段が生成した基準クロック信号をカウントすることにより基準時刻データを生成する基準時刻データ生成手段と、
標準電波の標準時刻データを取得する標準時刻取得手段と、
取得した標準時刻データに基づいて前記基準時刻データ生成手段で生成される基準時刻データを修正する基準時刻データ修正手段と、
請求項１に記載の携帯型電子機器に向けて前記基準時刻データ生成手段で生成される基準時刻データに対応した基準時刻を提供する基準時刻提供手段と、を具備する
ことを特徴とする基準時計。
【請求項１７】
請求項１６記載の基準時計において、
前記携帯型電子機器の外部時刻取得手段が機器側受信部を備える場合、
前記基準時刻提供手段は、前記基準時刻データ生成手段で生成される基準時刻データに対応した基準時刻信号を前記携帯型電子機器に向けて送信する時計側送信部を備える
ことを特徴とする基準時計。
【請求項１８】
請求項１６記載の基準時計において、
前記基準時刻提供手段は、前記基準時刻生成手段で生成された基準時刻データに対応した基準時刻が表示される表示部を有する
ことを特徴とする基準時計。
【請求項１９】
請求項１６記載の基準時計において、
前記基準時刻提供手段は、２つのタイミングにおいて基準時刻データを提供する
ことを特徴とする基準時計。
【請求項２０】
請求項１５記載の基準時計において、
前記標準時刻取得手段は、標準電波を受信する標準電波受信部と、受信した前記標準電波から標準時刻データを抽出する標準時刻抽出部と、を備える
ことを特徴とする基準時計。
【請求項２１】
請求項１６〜２０のいずれかに記載の基準時計において、
前記基準クロック信号データ生成手段は、発振源から発生する発振信号を分周する多段の分周回路からなる分周回路群と、前記各分周回路の状態を制御する論理緩急回路と、を備えた
ことを特徴とする基準時計。
【請求項２２】
機器内部のクロック信号を生成するクロック信号生成手段と、前記クロック信号生成手段が生成したクロック信号をカウントすることにより内部時刻データを生成する内部時刻データ生成手段と、を備えた携帯型電子時計と、
基準クロック信号を生成する基準クロック信号生成手段と、前記基準クロック信号生成手段が生成した基準クロック信号をカウントすることにより基準時刻データを生成する基準時刻データ生成手段と、標準電波の標準時刻データを取得する標準時刻取得手段と、取得した標準時刻データに基づいて前記基準時刻データ生成手段で生成される基準時刻データを修正する基準時刻データ修正手段と、を備えた基準時計と、を具備してなる時計機能調整システムにおいて、
前記基準時刻データ生成手段で生成される基準時刻データに対応した基準時刻を提供する基準時刻提供手段と、前記基準時計の基準時刻を取得する基準時刻取得手段と、前記基準時刻取得手段の２つの時刻取得タイミングを指示するタイミング指示手段と、前記２つの時刻取得タイミングにおいて前記基準時刻取得手段が取得した２つの基準時刻の差から得られる基準時間を記憶する基準時間記憶手段と、前記２つの時刻取得タイミングにおいて前記内部時刻データ生成手段によって生成された２つの内部時刻の差から得られる内部時間を記憶する内部時間記憶手段と、前記基準時間記憶手段内の基準時間と前記内部時間記憶手段内の内部時間が一致するように、前記クロック信号生成手段のクロック周波数を修正するクロック修正手段と、を具備する
ことを特徴とする時計機能調整システム。